【手続補正書】
【提出日】平成17年12月2日(2005.12.2)
【手続補正１】
【補正対象書類名】明細書
【補正対象項目名】全文
【補正方法】変更
【補正の内容】
【書類名】        明細書
【発明の名称】    耳かき用具
【特許請求の範囲】
【請求項１】  弾性を有する線材又は棒材を巻回して螺旋状に成形して成る先端部を備えたことを特徴とする耳かき用具。
【請求項２】  弾性を有する水平な線材又は棒材の両端をそれぞれ下方へ巻回して螺旋状に成形して成る先端部を備えたことを特徴とする耳かき用具。
【請求項３】  弾性を有する水平な線材又は棒材の一端を下方へ巻回して螺旋状に成形して成る先端部を備えたことを特徴とする耳かき用具。
【請求項４】  弾性を有する線材又は棒材を巻回して螺旋状に成形して成る先端部と、該先端部を先端に設けた軸部とから成る耳掻き部を備えたことを特徴とする耳かき用具。
【請求項５】  弾性を有する水平な線材又は棒材の両端をそれぞれ下方へ巻回して螺旋状に成形して成る先端部と、該先端部を先端に固着した軸部とから成る耳掻き部を備えたことを特徴とする耳かき用具。
【請求項６】 弾性を有する水平な線材又は棒材の両端をそれぞれ下方へ巻回して２重の螺旋状に成形した螺旋部を有して成る先端部と、該先端部を先端に固着した軸部とから成る耳掻き部を備えたことを特徴とする耳かき用具。
【請求項７】 弾性を有する水平な線材又は棒材の一端を下方へ巻回して螺旋状に成形して成る先端部と、該先端部を先端に固着した軸部とから成る耳掻き部を備えたことを特徴とする耳かき用具。
【請求項８】 弾性を有する水平な線材又は棒材の一端を下方へ巻回して螺旋状に成形した螺旋部を設けるとともに、他端を前記螺旋の略中心より下方へ垂直に延ばして成る先端部と、該先端部を先端に設けた軸部とから成る耳掻き部を備えた耳掻き用具であって、前記一端の線材又は棒材の下端は前記軸部の先端に固着し、前記他端の線材又は棒材の下端は前記軸部の先端に固着しないことを特徴とする耳かき用具。
【請求項９】 弾性を有する水平な線材又は棒材の一端を下方へ巻回して螺旋状に成形した螺旋部を設けるとともに、他端を前記螺旋の略中心より下方へ垂直に延ばして成る先端部と、先端に該先端部を設け内部に中空部を有する軸部とから成る耳掻き部を備えた耳掻き用具であって、前記一端の線材又は棒材の下端は前記軸部の先端に固着し、前記他端の線材又は棒材の下部は前記軸部の中空部内に滑動可能に挿通したことを特徴とする耳かき用具。
【請求項１０】 弾性を有する水平な線材又は棒材の一端を下方へ巻回して螺旋状に成形した螺旋部を設けるとともに、他端を前記螺旋の略中心より下方へ垂直に延ばして成る先端部と、先端に該先端部を設け内部に中空部を有する軸部とから成る耳掻き部を備えた耳掻き用具であって、前記一端の線材又は棒材の下端は前記軸部の先端に巻着し、前記他端の線材又は棒材の下部は前記軸部の中空部内に滑動可能に挿通したことを特徴とする耳かき用具。
【請求項１１】 請求項１から１０までのいずれか１項に記載の耳掻き用具において、螺旋の形状は円柱形又は略逆円錐形に形成されていることを特徴とする耳かき用具。
【請求項１２】 請求項４から１１までのいずれか１項に記載の耳掻き用具において、前記耳掻き部は柄の一端に設けられていることを特徴とする耳かき用具。
【発明の詳細な説明】
【０００１】
【発明の属する技術分野】
本発明は、耳の外耳道の清掃を行うための耳かき用具に関するものである。
【０００２】
【従来の技術】
従来、耳垢を取る用具としては、細い棒状の柄の先端に杓子状の部分を備え、その先端縁を外耳道の表皮に摺接させた状態で掻くようにして耳掻きを行うのが一般的であった（例えば、特開平０６−１１３９７８）。
【０００３】
【発明が解決しようとする課題】
従来の耳かき用具は先端が杓子状で薄く、特定の向きでしか使用することができず、神経を集中して使用しても、外耳道の表皮に対して当接の加減を調節することは難しく、力を入れすぎて先端縁が表皮に食い込み、痛みを伴ったり、耳垢を掻きだすときに傷つけたり、油断すると耳孔に深く入れ過ぎてしまい、鼓膜などを損傷させるという問題点があった。
【０００４】
本発明は、従来の問題点を解決するもので、先端の向きに関係なく、外耳道の全周面に使用することができ、痛みもなく簡単に当接させることができ、指先の力が直接表皮に加わることがないので強く掻きすぎたりして傷つけることもなく、油断して、多少、奥に入れても外耳道を損傷させるおそれがない、安全で使い易い耳掻き用具を提供することにある。
【０００５】
【課題を解決するための手段】
上記目的を達成するために、本発明に係る耳掻き用具は、弾性を有する線材又は棒材を巻回して螺旋状に成形して成る先端部を備えたことを特徴とするものである。前記先端部は、弾性を有する水平な線材又は棒材の両端をそれぞれ下方へ巻回して螺旋状に成形して成るものでもよく、また、弾性を有する水平な線材又は棒材の一端を下方へ巻回して螺旋状に成形して成るものでもよい。
【０００６】
また、本発明に係る耳掻き用具は、弾性を有する線材又は棒材を巻回して螺旋状に成形して成る先端部と、該先端部を先端に設けた軸部とから成る耳掻き部を備えたことを特徴とするものである。前記先端部は、弾性を有する水平な線材又は棒材の両端をそれぞれ下方へ巻回して螺旋状に成形して成るものでもよい。この場合、前記先端部は、２重の螺旋状に成形した螺旋部を有する。また、前記先端部は、弾性を有する水平な線材又は棒材の一端を下方へ巻回して螺旋状に成形して成るものでもよい。
【０００７】
さらにまた、本発明に係る耳掻き用具は、弾性を有する水平な線材又は棒材の一端を下方へ巻回して螺旋状に成形した螺旋部を設けるとともに、他端を前記螺旋の略中心より下方へ垂直に延ばして成る先端部と、該先端部を先端に設けた軸部とから成る耳掻き部を備えた耳掻き用具であって、前記一端の線材又は棒材の下端は前記軸部の先端に固着し、前記他端の線材又は棒材の下端は前記軸部の先端に固着しないことを特徴とするものでもよい。
【０００８】
また、本発明に係る耳掻き用具は、弾性を有する水平な線材又は棒材の一端を下方へ巻回して螺旋状に成形した螺旋部を設けるとともに、他端を前記螺旋の略中心より下方へ垂直に延ばして成る先端部と、先端に該先端部を設け内部に中空部を有する軸部とから成る耳掻き部を備えた耳掻き用具であって、前記一端の線材又は棒材の下端は前記軸部の先端に固着し、前記他端の線材又は棒材の下部は前記軸部の中空部内に滑動可能に挿通したことを特徴とするものでもよい。
なお、前記一端の線材又は棒材の下端は前記軸部の先端に巻着されることが望ましい。
【０００９】
上記耳掻き用具の螺旋の形状は円柱形又は略逆円錐形に形成されていることが望ましい。また、上記耳掻き部は柄の一端に設けられていることが望ましい。
さらに、上記耳掻き用具の円筒状の柄の底部内側には耳掻き部の先端部の螺旋部を清掃するためのブラシを内設し、使用後、柄から耳掻き部を外し、螺旋部をブラシで清掃のうえ、前記先端部を柄の円筒状中空部に収納することができる。
【００１０】
さらにまた、耳掻き部の先端部の螺旋部は弾性材で金属製又は合成樹脂製あるいは合成ゴムの線材又は棒材を成形したものや、金属線に抗菌剤入りの合成樹脂又は合成ゴムを被覆させたものや、金属線又は合成樹脂線あるいは合成ゴム線に天然・合成繊維や綿毛・綿糸を巻着させてもよい。
また、軸部と柄は天然・合成樹脂、合成ゴム等の弾性材で成形しても、金属、天然・合成樹脂で成形してもよい。
【００１１】
【発明の実施の形態】
発明の実施の形態を実施例にもとずき図面を参照して説明する。
本発明に係る耳かき用具は、その先端部が弾性を有する線材又は棒材を巻回して螺旋状に成形したものから成り、このうち図３、４は実施例１、図５、６は実施例２、図７、８は実施例３をそれぞれ具体的に表したものである。
【００１２】
図３、４に示される実施例１では、弾性を有する水平な線材又は棒材の両端をそれぞれ交差しないように下方へ巻回して螺旋状に成形して螺旋部３を二重に設け、下端を収束して成る先端部９が軸部４の先端に固着されている。前記線材又は棒材の水平部分である水平部２は螺旋頂部の直径長さを有しており、また螺旋はその頂部から下方へ向かって円柱形又は略逆円錐形に形成されている。耳掻き部１は前記先端部９と軸部４とから構成され、該耳掻き部１は図１の円筒状の柄７の一端に設けられている。
【００１３】
図５、６に示される実施例２では、弾性を有する水平な線材又は棒材の一端のみを下方へ巻回して螺旋状に成形して螺旋部３´を設けた先端部９´が軸部４´の先端に固着されている。前記線材又は棒材の他端は螺旋頂部の略中心より下方へ垂直に延びており、その下部は軸部４´の中空部内に下方に滑動可能に挿通されてすべり部５を成し、該すべり部５の下端には上方への滑動を拘束するすべり止め６が備えられている。前記線材又は棒材の水平部分である水平部２´は螺旋頂部の半径の長さを有しており、また螺旋はその頂部から下方へ向かって円柱形又は略逆円錐形に形成されていて、その下端は軸部４´の先端に固着されている。耳掻き部１は前記先端部９´と軸部４´とから構成され、該耳掻き部１は図１の円筒状の柄７の一端に設けられている。
【００１４】
図７、８に示される実施例３では、弾性を有する水平な線材又は棒材の一端のみを下方へ巻回して螺旋状に成形して螺旋部３´を設けた先端部９´が軸部４´の先端に巻着されている。前記線材又は棒材の他端は螺旋頂部の略中心より下方へ垂直に延びており、その下部は軸部４´の中空部内に下方に滑動可能に挿通されてすべり部５を成し、該すべり部５の下端には上方への滑動を拘束するすべり止め６が備えられている。前記線材又は棒材の水平部分である水平部２´は螺旋頂部の半径の長さを有しており、また螺旋はその頂部から下方へ向かって円柱形又は略逆円錐形に形成されていて、その下端は軸部４´の先端に、一方の手で螺旋部３´を掴み、他方の手で軸部４´を回転させることにより、螺旋部３´が軸部４´の先端を上下するように、回転可能に巻着されている。なお、耳掻き部１は前記先端部９´と軸部４´とから構成され、該耳掻き部１は図１の円筒状の柄７の一端に設けられている。
【００１５】
図１における円筒状の柄７の底部内側には耳掻き部１の先端部９の螺旋部３の清掃のため、図２のブラシ８を内設し（図９参照）、耳掻きの後、耳掻き部１の先端部をブラシに挿入し、前後させるか、回転させるかして、螺旋部３で掻き取られ、付着した耳垢を清掃する。
【００１６】
耳掻き部１は使用後、柄７から外し、柄の底部に内設されたブラシ８（図９参照）で螺旋部３を清掃のうえ、耳掻き部の先端部９を保護するために図１０にあるように円筒状の柄７の中空部に該先端部９を収納し保管する。
【００１７】
【発明の効果】
本発明は、以上説明したように構成されているので、以下に記載されるような効果を奏する。
【００１８】
耳掻き部の先端部をどのような向きにして使用しても、確実に耳掻きを行うことができ、耳垢が螺旋部の全内周面に溜まって、外側に落ちにくく、途中で向きを変える必要もなく、中断せずに使用でき、使用の動作を少なくすることができる。
【００１９】
耳掻き部の先端部は、上下、前後、左右の全方向に対して弾性を有しているので、指先の力が直接外耳道の表皮に加わらず、弾性材と螺旋部の弾性構造が当接の力を吸収し、優しく当接することができ、また螺旋部が表皮の凹凸に沿って変形し、過度に力を加えず効果的な耳掻きが行える。
【００２０】
油断して、指先に力が加わっても、また、多少奥に入れてしまっても、弾性材と螺旋構造の弾性作用で表皮を柔らかく押し表皮を痛めず使用できる。
【００２１】
円筒状の柄の底部内側に円周面を有するブラシを内設したので、螺旋部の周面の清掃が効果的に行え、清掃用ブラシを放置して、汚したり、紛失したりすることもなく即使用できるので便利である。
【００２２】
使用後、柄より耳掻き部を外して、柄の底部内側に内設したブラシに挿入し、前後させるか、回転させるかして、耳掻き部の先端部を清掃し、柄の中空部に耳掻き部の先端部を収納することにより、先端を変形させることもなく、円筒構造なので乾燥状態で衛生的に保管することができる。
【図面の簡単な説明】
【図１】
本発明の正面図である。
【図２】
本発明の柄の底部を拡大して示す底面図である。
【図３】
本発明の実施例１の耳掻き部を拡大して示す平面図である。
【図４】
本発明の実施例１の耳掻き部を拡大して示す正面図である。
【図５】
本発明の実施例２の耳掻き部を拡大して示す平面図である。
【図６】
本発明の実施例２の耳掻き部を拡大して示す正面部分断面図である。
【図７】
本発明の実施例３の耳掻き部を拡大して示す平面図である。
【図８】
本発明の実施例３の耳掻き部を拡大して示す正面部分断面図である。
【図９】
本発明の正面部分断面図である。
【図１０】
本発明の耳掻き部を柄に収納した斜視図である。
【符号の説明】
１          耳掻き部
２、２´    水平部
３、３´    螺旋部
４、４´ 軸部
５          すべり部
６          すべり止め
７          柄
８          ブラシ
９、９´ 先端部
【手続補正２】
【補正対象書類名】図面
【補正対象項目名】全図
【補正方法】変更
【補正の内容】
【図１】
1999155756.tif 000001
【図２】
1999155756.tif 000002
【図３】
1999155756.tif 000003
【図４】
1999155756.tif 000004
【図５】
1999155756.tif 000005
【図６】
1999155756.tif 000006
【図７】
1999155756.tif 000007
【図８】
1999155756.tif 000008
【図９】
1999155756.tif 000009
【図１０】
1999155756.tif 000010